(57)【要約】      （修正有）【課題】デジタル伝送におけるビット誤り率、変調誤差比、及び伝送余裕度を表示し、伝送品質を把握し易くした伝送品質推定表示装置を提供する。【解決手段】復調部１０１と、デマッピング部１０２と、誤り訂正部１０３と、ビット誤り率を推定する誤り率処理部１０４と、前記デマッピング部の出力からタイミング制御信号毎に変調誤差比を算出する変調誤差算出部１０５と、前記デマッピング処理部の出力から誤差電力を算出する誤差電力算出部１０６と、該誤差電力算出部の出力からタイミング制御信号毎に最大誤差電力を検出する最大誤差電力検出部１０７と、該最大誤差電力検出部の出力より伝送路の余裕度を推定する伝送余裕度推定部１０８と、前記誤り率処理部、前記変調誤差比算出部、及び前記伝送余裕度推定部の各出力をグラフィック表示する表示パターンを作成する表示処理部１０９と、該表示処理部の出力を表示するグラフィックモニタ１１０とを具えている。【選択図】図１
2010183391.tif 000002
【特許請求の範囲】
【請求項１】
デジタル変調された電波を受信して映像信号や音声信号を復号して出力するデジタル受信システムにおける伝送品質を推定し表示する伝送品質推定表示装置であって、
中間周波数で変調された信号を復調するとともに、所定周期のタイミング制御信号を発生する復調部と、
該復調部の出力をデマッピング処理するデマッピング部と、
該デマッピング部の出力より誤り訂正を行うとともに前記タイミング制御信号毎にビット誤り数を出力する誤り訂正部と、
該誤り訂正部の出力よりビット誤り率を推定する誤り率処理部と、
前記デマッピング部の出力より前記タイミング制御信号毎に変調誤差比を算出する変調誤差比算出部と、
前記デマッピング部の出力より誤差電力を算出する誤差電力算出部と、
該誤差電力算出部の出力より前記タイミング制御信号毎に最大誤差電力を検出する最大誤差電力検出部と、
該最大誤差電力検出部の出力より伝送路の余裕度を推定する伝送余裕度推定部と、
前記誤り率処理部、前記変調誤差比算出部、及び該伝送余裕度推定部の各出力からグラフィック表示する表示パターンを作成する表示処理部と、
該表示処理部の出力を表示する表示部とを具えたことを特徴とする伝送品質推定表示装置。
【請求項２】
請求項１に記載の伝送品質推定表示装置において、
前記誤り率処理部が、前記誤り訂正部から前記ビット誤り数の数値データを得て前記タイミング制御信号毎にビット誤り率の値を推定する誤り率推定回路と、
該誤り率推定回路により推定したビット誤り率の値が所定範囲内か否かを判定する誤り率判定回路と、
該誤り率判定回路の判定結果が、前記所定範囲内のときにはそのビット誤り率の数値データを出力し、前記所定範囲外のときには所定表示データを出力するように選択する選択回路とを具えることを特徴とする伝送品質推定表示装置。
【請求項３】
請求項２に記載の伝送品質推定表示装置において、
前記誤り率判定回路が、前記ビット誤り率の数値データを二つの異なる基準値と比較する二つの比較器と、
該二つの比較器の出力結果により選択制御信号を作成する選択制御信号作成器とからなることを特徴とする伝送品質推定表示装置。
【請求項４】
請求項１に記載の伝送品質推定表示装置において、
前記表示処理部が、
前記誤り率処理部の出力を表示する信号を作成する誤り率情報グラフィック表示信号作成回路と、
前記変調誤差比算出部の出力を表示する信号を作成する変調誤差比情報グラフィック表示信号作成回路と、
前記伝送余裕度推定部の出力を表示する信号を作成する伝送余裕度情報グラフィック表示信号作成回路と、
前記三つのグラフィック表示信号作成回路の出力を混合する表示信号混合回路とからなることを特徴とする伝送品質推定表示装置。
【発明の詳細な説明】
【技術分野】
【０００１】
本発明は、デジタル受信システムにおいて、デジタル送信機からの伝送信号が破錠に至る伝送余裕度やビット誤り率等を推定して表示することができる伝送品質推定表示装置に関する。
【背景技術】
【０００２】
スポーツ等の実況中継では、デジタルＦＰＵ（Field Pickup Unit）装置を使用して、テレビカメラで撮影した映像信号や音声信号をデジタル変調しマイクロ波を用いて中継現場から中継局へと伝送する放送技術がある。
【０００３】
このような放送技術には、符号化したデジタルデータを伝送するデジタル伝送システムがあり、デジタル伝送システムは符号化されたデータを誤り訂正することが可能であって、伝送路の伝送品質を保つのに有効な放送技術である。また、デジタル伝送システムでは、伝送路の伝送品質を把握するために、ビット誤り率（ＢＥＲ：Bit Error Rate）や変調誤差比（ＭＥＲ：Modulation Error Ratio）のデータを使用する。実際には、これらのデータや、これらのデータから得られる伝送余裕度（マージン：MARGIN）などを伝送品質データとし、モニターに表示して伝送路の伝送品質を把握するようにしている。
【０００４】
従来例としては、本出願人によるデジタル伝送システムにおける伝送品質を推定する伝送品質推定回路がある。このデジタルＦＰＵ装置に組み込まれる伝送品質推定回路は、図６に示すように、入力端子１０から入力される直交周波数分割多重信号（ＯＦＤＭ信号：Orthogonal Frequency Division Multiplexing  信号）を復調部１１で復調してデマッピング部１２に入力し、デマッピング部１２から得られるデマッピング処理した信号を誤り訂正部１３に入力し、誤り訂正部１３でデータ誤りを訂正し、その誤り訂正からＢＥＲを算出して表示部１７に表示するとともに、デマッピング部１２でデマッピング処理した信号を誤差電力算出部１４で誤差電力を算出し最大誤差電力検出部１５で最大誤差電力を求め、最大誤差電力から伝送余裕度推定部１６で伝送余裕度（マージン）を求めて、１ＯＦＤＭシンボル毎にＢＥＲとともに表示部１７に表示する。図７がこの伝送品質推定回路における伝送品質データの表示例である。受信出力信号は誤り率訂正部１３から出力される（例えば、特許文献１参照）。
【先行技術文献】
【特許文献】
【０００５】
【特許文献１】特開２００７−２５１３２２号公報
【発明の概要】
【発明が解決しようとする課題】
【０００６】
従来例のデジタルＦＰＵ受信装置における伝送品質推定回路の伝送品質データの表示例について、図７を参照して説明する。同図のバー表示部（□で表示した部分）には、ビット誤り率（ＢＥＲ）が、バー表示部の上部に「ＯＶＥＲ」、「−５」、「−６」、「−７」及び「ＵＮＤＥＲ」で表示され、「−５」は、１．０Ｅ−５、「−６」は１．０Ｅ−６をそれぞれ意味し、「ＯＶＥＲ」はビット誤り率が１．０Ｅ−４以上であることを意味し、「ＵＮＤＥＲ」はビット誤り率が１．０Ｅ−８以下であることを意味している。
【０００７】
この表示例では、ＢＥＲとマージンをバー表示で表示することによって、座標、或いはコンスタレーション表示するよりも伝送路の伝送品質が把握し易いといった利点があった。しかしながら、このような１０のマイナス乗表示は伝送技術の専門技術者には分かり易く、伝送路の状態を把握することが可能であったが、専門技術者でないオペレータが伝送品質を監視する場合は具体的な数値の表示がないので分かり難いといった欠点があった。
【０００８】
また、従来のＦＰＵ受信装置における伝送品質推定回路ではＢＥＲとマージンのみを表示し、この二つの関係から伝送品質を推定するものであり、実際のＭＥＲの表示がないのでＭＥＲを把握することはできないといった欠点があった。
【０００９】
本発明は、上述のような課題に鑑みてなされたものであって、デジタル伝送システムにおいて、デジタル伝送におけるビット誤り率（ＢＥＲ）、変調誤差比（ＭＥＲ）、及び伝送余裕度（マージン）を表示し、伝送路の伝送品質を誰もが把握し易くした伝送品質推定表示装置を提供することを目的とする。
【課題を解決するための手段】
【００１０】
本発明は、以下のような手段により上記課題を達成したものである。先ず、請求項１の発明は、デジタル変調された電波を受信して映像信号や音声信号を復号して出力するデジタル受信システムにおける伝送品質を推定し表示する伝送品質推定表示装置であって、
中間周波数で変調された信号を復調するとともに、所定周期のタイミング制御信号を発生する復調部と、
該復調部の出力をデマッピング処理するデマッピング部と、
該デマッピング部の出力より誤り訂正を行うとともに前記タイミング制御信号毎にビット誤り数を出力する誤り訂正部と、
該誤り訂正部の出力よりビット誤り率を推定する誤り率処理部と、
前記デマッピング部の出力より前記タイミング制御信号毎に変調誤差比を算出する変調誤差比算出部と、
前記デマッピング部の出力より誤差電力を算出する誤差電力算出部と、
該誤差電力算出部の出力より前記タイミング制御信号毎に最大誤差電力を検出する最大誤差電力検出部と、
該最大誤差電力検出部の出力より伝送路の余裕度を推定する伝送余裕度推定部と、
前記誤り率処理部、前記変調誤差比算出部、及び該伝送余裕度推定部の各出力からグラフィック表示する表示パターンを作成する表示処理部と、
該表示処理部の出力を表示する表示部とを具えたことを特徴とする伝送品質推定表示装置である。
【００１１】
また、請求項２の発明は、請求項１に記載の伝送品質推定表示装置において、
前記誤り率処理部が、前記誤り訂正部から前記ビット誤り数の数値データを得て前記タイミング制御信号毎にビット誤り率の値を推定する誤り率推定回路と、
該誤り率推定回路により推定したビット誤り率の値が所定範囲内か否かを判定する誤り率判定回路と、
該誤り率判定回路の判定結果が、前記所定範囲内のときにはそのビット誤り率の数値データを出力し、前記所定範囲外のときには所定表示データを出力するように選択する選択回路とを具えることを特徴とする伝送品質推定表示装置である。
【００１２】
また、請求項３の発明は、請求項２に記載の伝送品質推定表示装置において、
前記誤り率判定回路が、前記ビット誤り率の数値データを二つの異なる基準値と比較する二つの比較器と、
該二つの比較器の出力結果により選択制御信号を作成する選択制御信号作成器とからなることを特徴とする伝送品質推定表示装置である。
【００１３】
また、請求項４の発明は、請求項１に記載の伝送品質推定表示装置において、
前記表示処理部が、
前記誤り率処理部の出力を表示する信号を作成する誤り率情報グラフィック表示信号作成回路と、
前記変調誤差比算出部の出力を表示する信号を作成する変調誤差比情報グラフィック表示信号作成回路と、
前記伝送余裕度推定部の出力を表示する信号を作成する伝送余裕度情報グラフィック表示信号作成回路と、
前記三つのグラフィック表示信号作成回路の出力を混合する表示信号混合回路とからなることを特徴とする伝送品質推定表示装置である。
【発明の効果】
【００１４】
本発明の伝送品質推定表示装置は以下のような利点がある。先ず、請求項１の発明によれば、ビット誤り率であるＢＥＲ、変調誤差比であるＭＥＲ、及び最大誤差電力の検出による伝送余裕度（マージン：MARGIN）が求められ、これらの数値データを表示処理部で処理して同時にグラフィック表示できる表示パターンを作成することができる伝送品質推定表示装置であって、ＢＥＲやマージンのみの表示に比べて伝送路の伝送品質を把握する際の推定値を分かり易く表示できるといった利点があり、専門のデジタル伝送技術者ではないオペレータが、デジタル伝送システムにおける伝送路の伝送品質を把握するのに有効である。
【００１５】
また、請求項２の発明によれば、誤り率判定回路により推定したビット誤り率が所定範囲内のときはそのままビット誤り率の数値データをグラフィックや文字データとして表示し、所定範囲外にあるときは、伝送品質を端的に表現する所定表示データとすることが可能であり、所定表示データが表示されたか否かでビット誤り率が伝送路の伝送品質を維持する上で問題があるか否かを判断したり、伝送路が破錠に至る可能性があるのか否かを容易に把握することができるといった利点がある。
【００１６】
また、請求項３の発明によれば、誤り率判定回路が簡単な構成となるため、コスト的にも安価になる利点がある。また、２つの比較器にそれぞれ基準値（所定値）を設定することにより推定したビット誤り率が許容範囲内であるか否かを容易に判定することができるし、比較器の基準値（所定値）は固定ではなく、外部から設定するように構成することが可能であって、基準値を変更すれば、伝送回線の特性に応じた誤り率判定回路を構成することができし、デジタル伝送システムの特性に応じてビット誤り率の許容範囲を任意に設定できるといった利点がある。
【００１７】
また、請求項４の発明によれば、ＭＥＲ、ＢＥＲ、及び伝送余裕度（マージン）の各情報表示信号をグラフィック信号とすることにより解像度のよい表示信号となり見易くなるといった利点がある。また、バーグラフによる表示に加えて、ＭＥＲ、ＢＥＲ、及び伝送余裕度（マージン）の各数値をも同時にグラフィック表示することによりバー表示だけの場合と比較してより伝送路の伝送品質を把握し易くなるという利点がある。また、所定表示データを判別し易い文字データで表示することにより専門のデジタル伝送技術者ではないオペレータであっても伝送路の伝送品質を把握し易いとった利点がある。
【図面の簡単な説明】
【００１８】
【図１】本発明に係る伝送品質推定表示装置の一実施例を示すブロック図である。
【図２】図１の誤り率処理部のブロック図である。
【図３】図２の誤り率判定回路のブロック図である。
【図４】図１の表示処理部のブロック図である。
【図５】本実施例のグラフィックモニタによる伝送品質データの表示例を示す図である。
【図６】従来例の伝送品質推定回路を示すブロック図である。
【図７】従来例のグラフィックモニタの表示例を示す図である。
【発明を実施するための形態】
【００１９】
以下、本発明に係る伝送品質推定表示装置の実施の形態について図面を参照して説明する。先ず、本発明の一実施例の伝送品質推定表示装置について図１を参照し説明する。本実施例の伝送品質推定表示装置は、デジタルＦＰＵ受信機に組み込まれ、図１に示すように、入力端子１００、復調部１０１、デマッピング部１０２、誤り訂正部１０３、誤り率処理部１０４、変調誤差比算出部１０５、誤差電力算出部１０６、最大誤差電力検出部１０７、伝送余裕度推定部１０８、表示処理部１０９およびグラフィックモニタ１１０からなる。符号化映像出力は誤り訂正部１０３から誤り訂正して出力される。なお、この実施例では、符号化映像出力のみとして説明するが、映像出力および音声出力、若しくは音声出力のみでもよい。また、伝送信号は直交周波数分割多重信号（以下、ＯＦＤＭ信号とする）とし、デジタルＦＰＵ送信機により送信されるものとする。
【００２０】
次に、本実施例の各部について図１を参照し説明する。入力端子１００には、デジタルＦＰＵ送信機から伝送されるＯＦＤＭ信号を、デジタルＦＰＵ受信機の受信アンテナで受信してデジタルデータに変換するとともに直交復調し、その出力をフーリエ変換した信号が入力される。入力端子１００からの信号は復調部１０１に入力される。
【００２１】
復調部（復調手段）１０１はフーリエ変換した信号を復調処理し、その復調信号をデマッピング部１０２に入力する。また、復調部１０１は、ＯＦＤＭ信号から得られるシンボル周期信号をタイミング制御信号として、誤り訂正部１０３、変調誤差比算出部１０５および最大誤差電力検出部１０７へと出力する。
【００２２】
デマッピング部（デマッピング処理手段）１０２は、復調部１０１で復調した信号より座標軸上の点にデマッピング処理を行い、その処理データである出力信号を誤り訂正部１０３に入力するとともに、変調誤差比算出部１０５に入力する。このデマッピング処理は、送信側でのマッピング処理とは逆の処理となる。
【００２３】
誤り訂正部１０３は、デマッピング部１０２の出力信号に対して誤り訂正を行い、復調部１０１からのタイミング制御信号の周期でビット誤り数の数値データを出力信号として出力する。このように誤り訂正部１０３は、タイミング制御信号毎にビット誤り数を算出する誤り訂正手段である。
【００２４】
誤り率処理部１０４では、誤り訂正部１０３からビット誤り数の数値データを得て、ビット誤り率（ＢＥＲ）を演算処理（誤受信したビット数を総ビット数で除算手段）して算出し、デジタル変調信号全体のビット誤り率を推定する。推定したビット誤り率の数値データによる出力信号を表示処理部１０９に出力する。誤り率処理部１０４はビット誤り数の数値データとして出力する演算処理による誤り率処理手段であり、その詳細については後述する。
【００２５】
変調誤差比算出部１０５では、デマッピング部１０２の出力信号から変調誤差比（ＭＥＲ）を算出する。変調誤差比は、原点から基準点までの距離の和と基準点から受信信号点までの距離の和の比であり、デシベル値で表され、その値が高いほど伝送品質が良好である。変調誤差比算出部１０５はこの変調誤差比を算出し、この変調誤差比の数値データを復調部１０１からのタイミング制御信号の周期で表示処理部１０９へと出力する。このように変調誤差比算出部１０５はタイミング制御信号毎に変調誤差比を算出する演算処理による変調誤差比算出手段である。
【００２６】
誤差電力算出部１０６では、デマッピング部１０２の出力信号より受信信号点の最も近い基準となる点の距離を誤差電力として算出し、この誤差電力を出力データとして最大誤差電力検出部１０７へと出力する。誤差電力算出部１０６は誤差電力を算出する誤差電力算出手段である。
【００２７】
最大誤差電力検出部１０７では、誤差電力算出部１０６の出力データから最大誤差電力を検出し、復調部１０１からのタイミング制御信号の周期に基づいて、この最大誤差電力を出力データとして伝送余裕度推定部１０８へと出力する。周期は１ＯＦＤＭのシンボル周期信号を周期単位とする。即ち、最大誤差電力検出部１０７では、シンボル周期毎に最大誤差電力を検出し、出力データを伝送余裕度推定部１０８へと出力する。最大誤差電力検出部１０７は最大誤差電力を検出する演算処理による最大誤差電力検出手段である。
【００２８】
伝送余裕度推定部１０８では、最大誤差電力検出部１０７からの最大誤差電力により変調方式および畳み込み符号化率を参照し、伝送における余裕度を推定し、この出力データを伝送余裕度データとして表示処理部１０９へと出力する。なお、伝送における伝送余裕度とは、破錠するときの限界誤差電力と、最大誤差電力検出部１０７から得られる最大誤差電力との差のレベルであり、伝送余裕度推定部１０８から数値データとして出力する。なお、限界誤差電力と最大誤差電力との差は、テーブルデータ（テーブルＲＯＭ）から算出する。また、変調方式や畳み込み符号化率によるテーブルデータが設けられ、このテーブルデータから伝送信号の余裕度を推定する。伝送余裕度推定部１０８はこのような処理を経て伝送余裕度データを出力する伝送余裕度推定手段である。
【００２９】
表示処理部１０９では、誤り率処理部１０４、変調誤差比算出部１０５および伝送余裕度推定部１０８の各出力（ビット誤り率（ＢＥＲ），変調誤差比（ＭＥＲ），伝送余裕度（マージン：MARGIN）の各数値データ）をグラフィック表示するための表示信号を作成して出力する。グラフィックモニタ１１０では、表示処理部１０９からの出力表示信号に基づいて、これらの数値データを表示パターンとしてグラフィックモニタ１１０に同時にグラフィック表示する。表示処理部１０９はグラフィック信号による表示信号を作成する表示処理手段である。
【００３０】
次に、本実施例の誤り率処理部１０４について図２を参照し説明する。誤り率処理部１０４は、誤り訂正部１０３の出力が入力端子２００から入力される誤り率推定回路２０１と、誤り率推定回路２０１の出力を入力し、ビット誤り率の数値データに応じて選択制御信号を出力する誤り率判定回路２０２と、ＢＥＲ値が小さく伝送品質が良好であることを表示する「ＧＯＯＤ」の文字データを発生するＧＯＯＤ文字データ発生回路２０３と、ＢＥＲ値が大きく伝送品質が悪いことを表示する「ＰＯＯＲ」の文字データを発生するＰＯＯＲ文字データ発生回路２０４と、前記選択制御信号によって、「ＧＯＯＤ」の文字データを入力する端子１、誤り率推定回路２０１の出力である推定したＢＥＲ値の数値データを入力する端子２、及び「ＰＯＯＲ」の文字データを入力する端子３の何れかを選択して端子Ｃから出力する選択回路２０５と、選択回路２０５の出力端子２０６とからなる。
【００３１】
誤り率推定回路２０１の出力信号（推定したビット誤り率の数値データ）は誤り率判定回路２０２と選択回路２０５の端子２とに入力し、誤り率判定回路２０２は、推定したビット誤り率の数値データが所定範囲（破錠が発生しない許容範囲）内か否かを判定して選択回路２０５に選択制御信号を出力する。誤り率判定回路２０２の詳細は図３を参照し後述する。
【００３２】
ＧＯＯＤ文字データ発生回路２０３は、ＢＥＲ値が所定値以下であり、ＢＥＲ値が小さく伝送品質が良好であることを表示する「ＧＯＯＤ」という文字データを発生し、この文字データを選択回路２０５の端子１に出力する。また、ＰＯＯＲ文字データ発生回路２０４はＢＥＲ値が所定値以上であり、ＢＥＲ値が大きく伝送品質が悪いことを表示する「ＰＯＯＲ」という文字データを発生し、この文字データを選択回路２０５の端子３に出力する。
【００３３】
選択回路２０５は、誤り率判定回路２０２の選択制御信号に基づいて端子１〜３の何れかを選択し、誤り率推定回路２０１、ＧＯＯＤ文字データ発生回路２０３およびＰＯＯＲ文字データ発生回路２０４から数値データや文字データによる出力信号の何れかを端子Ｃから出力端子２０６へと出力する。
【００３４】
なお、誤り率推定回路２０１は、誤り訂正部１０３からの出力であるビット誤り数の数値データが入力端子２００から誤り率推定回路２０１に入力されると、ビット誤り数を１シンボル当たりの総ビット数で割って算出した値をビット誤り率（ＢＥＲ値）として出力し、デジタル変調信号全体のビット誤り率の数値（ＢＥＲ値）を推定値とする。ビット誤り率の具体的な数値は、１．３Ｅ−３や３．２Ｅ−５などの極めて小さい値となり、本実施例では、この数値の内、桁数を表す数、（−３）や（−５）の値をバーグラフの上部に表示してビット誤り率の数値を示している。
【００３５】
続いて、図２の誤り率判定回路２０２について図３を参照し説明する。誤り率判定回路２０２は、誤り率推定回路２０１からビット誤り率の数値データが入力される入力端子３００と、入力端子３００からビット誤り率の数値データと所定値Ａの設定データとが入力される比較器３０１と、入力端子３００からビット誤り率の数値データと所定値Ｂの設定データとが入力される比較器３０２と、比較器３０１，３０２の各出力結果のデータが入力される選択制御信号作成器３０３と、選択制御信号作成器３０３からの選択制御信号を出力する出力端子３０４とからなる。選択回路２０５はこの選択制御信号に基づいて端子１〜３の何れかを選択するように制御する。なお、所定値Ａ，Ｂはそれぞれ所定値設定部から出力される基準値であり、これらの基準値を所定値Ａ，Ｂとして比較器３０１，３０２のそれぞれの入力端子に入力する。
【００３６】
入力端子３００に入力されるデータは、誤り率推定回路２０１から出力されるビット誤り率であり、ビット誤り率は、１．０Ｅ−３や１．０Ｅ−５などの数値データであって、この数値データが比較器３０１，３０２に入力される。比較器３０１はビット誤り率と所定値Ａとを比較してその出力結果を選択制御信号作成器３０３に出力し、比較器３０２ではビット誤り率と所定値Ｂとを比較してその出力結果を選択制御信号作成器３０３に出力し、デジタル伝送で発生するビット誤り率の値が許容範囲内であるか、または許容範囲外であるかを表示可能にしている。所定値Ａ，Ｂは所定値Ａ＞所定値Ｂの関係に設定されている。
【００３７】
選択制御信号作成器３０３は、ビット誤り率の値αが所定値Ａ以上である場合（ビット誤り率の値α≧Ａ）、即ちビット誤り率が許容範囲の上限値を超える大きな値であり、伝送品質が悪いことを示し、選択回路２０５は「ＰＯＯＲ」、即ち選択回路２０５の「ＰＯＯＲ文字データ」を出力する端子３を選択する選択制御信号を作成する。また、この場合、ビット誤り率の値αが所定値Ａ以上であり、所定値Ｂよりも大きく許容範囲内の値ではなく、ビット誤り率の値αの数値データを表示する必要がないので、比較器３０１の出力結果のみとする。
【００３８】
また、ビット誤り率の値αが所定値Ａより小さい値で所定値Ｂより大きい値である場合（Ｂ＜ビット誤り率の値α＜Ａ）、ビット誤り率の値αが許容範囲内であるので、伝送品質が良好であることを示し、選択回路２０５は、ビット誤り率の数値データを出力する端子２を選択する選択制御信号を作成する。
【００３９】
また、ビット誤り率の値αが所定値Ｂ以下の場合（ビット誤り率の値α≦Ｂ）、ビット誤り率の値αは小さく伝送品質が良好であることを示し、選択回路２０５が「ＧＯＯＤ文字データ」を出力する端子１を選択するような選択制御信号を作成する。また、この場合、所定値Ｂは所定値Ａより小さい値であり、ビット誤り率の値αの数値データを表示する必要はなく、比較器３０２の出力結果のみとする。このように選択制御信号作成器３０３は、端子１〜３の何れかを選択する選択制御信号を作成し出力端子３０４から出力する。
【００４０】
なお、ビット誤り率の表示について、バーグラフによる一表示例を図５に示すように、ビット誤り率の値αの数値データが所定値Ａ以上の場合は「ＰＯＯＲ」と表示し、「ＰＯＯＲ」のビット誤り率の値は１．０Ｅ−２以上である。また、ビット誤り率の値αの数値データが所定値Ｂ以下の場合は「ＧＯＯＤ」と表示し、「ＧＯＯＤ」のビット誤り率の値は１．０Ｅ−７以下であり、その表示例の詳細は後述する。また、所定値Ａ，Ｂの値は、この実施例に限定することなく、伝送路の特性に応じて基準値（所定値Ａ，Ｂの値）を調整してもよい。さらにまた、所定値Ａと所定値Ｂは外部から設定可能に構成してもよい。
【００４１】
次に、図１の表示処理部１０９について図４のブロック図を参照し説明する。表示処理部１０９は、誤り率入力端子４００と、誤り率情報グラフィック表示信号作成回路４０１と、変調誤差比入力端子４０２と、変調誤差比情報グラフィック表示信号作成回路４０３と、伝送余裕度入力端子４０４と、伝送余裕度情報グラフィック表示信号作成回路４０５と、表示信号混合回路４０６と、グラフィック表示信号出力端子４０７とからなる。
【００４２】
誤り率入力端子４００には、誤り率処理部１０４の出力信号であるビット誤り率の数値データ（「ＰＯＯＲ」，「−３」，「−４」，「−５」，「−６」，「ＧＯＯＤ」）の何れかを入力する。なお、「ＰＯＯＲ」は「−２」以下を示す数値データであり、「ＧＯＯＤ」は「−７」以上を示す数値データである。変調誤差比入力端子４０２には、変調誤差比算出部１０５からの変調誤差比（ＭＥＲ）の数値データを（００，０５，１０，…２５，３０）入力する。また、伝送余裕度入力端子４０４には、伝送余裕度推定部１０８からの伝送余裕度の数値データ（００，０２，…，１０〜）を入力する。各グラフィック表示信号作成回路４０１，４０３，４０５には、それぞれ数値データを入力して処理し表示信号を作成する。各グラフィック表示信号作成回路４０１，４０３，４０５からの各表示信号を表示信号混合回路４０６に入力して混合し、各数値データが一表示パターンに表示できるグラフィック信号による表示パターン信号として出力する。
【００４３】
この表示パターン信号が、グラフィック表示信号出力端子４０７からグラフィックモニタ１１０に入力され、グラフィックモニタ１１０には、ビット誤り率（ＢＥＲ）、変調誤差比（ＭＥＲ）、及び伝送余裕度（ＭＡＲＧＩＮ）による伝送品質データが表示パターンとしてグラフィック表示される。図５は、グラフィックモニタ１１０に表示される伝送品質データの表示例を示し、ＢＥＲをバーグラフ表示する表示領域５０１と、ＭＥＲをバーグラフ表示する表示領域５０２と、ＭＡＲＧＩＮをバーグラフ表示する表示領域５０３とがある。表示領域５０１〜５０３には、ＢＥＲ、ＭＥＲ、ＭＡＲＧＩＮが文字表示され、ＢＥＲ、ＭＥＲ、ＭＡＲＧＩＮの文字表示部の横に同一長さのバーグラフによる表示領域が設けられ、各表示領域の上部に数値、及び許容範囲外および内を示す所定表示が表示され、バーグラフの横の文字表示領域Ｅ１  〜Ｅ３  が設けられ、文字表示領域Ｅ１  〜Ｅ３  には、それらの出力結果の数値やＢＥＲ値が許容範囲外または内であるかを示す「ＰＯＯＲ」若しくは「ＧＯＯＤ」、または数値が表示される。
【００４４】
誤り率情報グラフィック表示信号作成回路４０１には、誤り率処理部１０４の出力データ、即ちビット誤り率（ＢＥＲ）の数値データを入力し、この数値データからグラフィック表示データと文字データとからなるグラフィック表示信号を作成する。グラフィック表示信号としては、例えば、ＶＧＡ信号（Video Graphic Array 信号）を使用する。各グラフィック表示信号作成回路４０３，４０５においても同様にＶＧＡ信号を使用する。
【００４５】
図５の表示領域５０１では、「ＧＯＯＤ」を入力したときの表示例であり、バーグラフの「ＧＯＯＤ」の表示部を塗りつぶした表示とし、バーグラフの横の文字表示領域Ｅ１  には「ＧＯＯＤ」の文字をグラフィック表示する。また、ビット誤り率が２．０Ｅ−５の場合は、バーグラフの「ＧＯＯＤ」の表示部から「−５」までの表示部を塗りつぶした表示とし、バ−グラフの横の文字表示領域Ｅ１  には「−５」の文字をグラフィック表示する。また、ビット誤り率（ＢＥＲ）が所定範囲外である場合は、即ち「ＰＯＯＲ」の場合、バーグラフの全表示部を塗りつぶした表示とし、バーグラフの横の文字表示領域Ｅ１  には「ＰＯＯＲ」の文字をグラフィック表示する。
【００４６】
また、変調誤差比入力端子４０２には、変調誤差比算出部１０５の出力信号、即ち、変調誤差比（ＭＥＲ）の数値データを変調誤差比情報グラフィック表示信号作成回路４０３に入力する。変調誤差比情報グラフィック表示信号作成回路４０３は、ＭＥＲのグラフィック表示データと文字データとからなるグラフィック表示信号を作成する。図５の表示領域５０２では、変調誤差比のデータが「３０」の場合の表示例であり、このグラフィック表示信号によって、表示領域５０２のバーグラフの全ての表示領域を塗りつぶした表示とし、バーグラフの横の文字表示領域Ｅ２  には「３０」の文字を表示する。
【００４７】
また、伝送余裕度入力端子４０４には、伝送余裕度推定部１０８の出力信号、即ち、伝送余裕度（ＭＡＲＧＩＮ）の数値データを入力する。伝送余裕度情報グラフィック表示信号作成回路４０５では、ＭＡＲＧＩＮのグラフィック表示データと文字データとからなるグラフィック表示信号を作成する。図５の表示領域５０３ではＭＡＲＧＩＮが「１２」の場合の表示例であり、このグラフィック表示信号によって、表示領域５０３のバーグラフの「１０〜」の表示領域を塗りつぶした表示とし、バーグラフの横の文字表示領域Ｅ３  には「１２」の文字を表示する。
【００４８】
本実施例では、伝送路の伝送品質データである各数値データが、図５の表示例に示すように表示パターンとして同時に表示され、専門のデジタル伝送技術者でないオペレータが伝送路の伝送品質を把握するのに有効である。なお、図５の表示例は一表示パターンであり、この実施例に限定することなく、伝送品質データを表示する順序はこの例と異なってもよいし、グラフィック表示信号作成回路４０１，４０３，４０５のグラフィック表示信号を変更して、バーグラフによる表示に、他の表示パターン、例えば座標や円グラフなどを組み合わせたパターンであってもよい。
【産業上の利用可能性】
【００４９】
本発明の利用分野としては、中継放送に利用するデジタル変調による電波を送受信するデジタル伝送システムに利用することができる。また、そのデジタル伝送システムにおけるデジタルＦＰＵ受信機の受信状態から伝送路の伝送品質を把握するための伝送品質推定表示装置として利用することができる。
【符号の説明】
【００５０】
１００  入力端子
１０１  復調部
１０２  デマッピング部
１０３  誤り訂正部
１０４  誤り率処理部
１０５  変調誤差比算出部
１０６  誤差電力算出部
１０７  最大誤差電力検出部
１０８  伝送余裕度推定部
１０９  表示処理部
１１０  グラフィックモニタ
２００  入力端子
２０１  誤り率推定回路
２０２  誤り率判定回路
２０３  ＧＯＯＤ文字データ発生回路
２０４  ＰＯＯＲ文字データ発生回路
２０５  選択回路
２０６  出力端子
３００  入力端子
３０１，３０２  比較器
３０３  選択制御信号作成器
３０４  出力端子
４００  誤り率入力端子
４０１  誤り率情報グラフィック表示信号作成回路
４０２  変調誤差比入力端子
４０３  変調誤差比情報グラフィック表示信号作成回路
４０４  伝送余裕度入力端子
４０５  伝送余裕度情報グラフィック表示信号作成回路
４０６  表示信号混合回路
４０７  グラフィック表示信号出力端子
５０１〜５０３  表示領域
Ｅ１  〜Ｅ３    文字表示領域
【図１】
2010183391.tif 000003
【図２】
2010183391.tif 000004
【図３】
2010183391.tif 000005
【図４】
2010183391.tif 000006
【図５】
2010183391.tif 000007
【図６】
2010183391.tif 000008
【図７】
2010183391.tif 000009